(57)【要約】      （修正有）【課題】厚みが薄く、幕状体を少ない工程で掲示できる幕状体保持装置を提供する。【解決手段】上側水平部材２２、下側水平部材、及び柱部材で形成された枠本体１４と、前記部材に形成された第４の溝６０と、第４の溝に挿入され、第４の溝との間に幕状体１２の端縁部分を介在させる正面側テンション材６６と、第４の溝６０の底部に立設され、幕状体１２に形成された貫通孔に貫通する複数のテンション材固定ボルト６４と、正面側テンション材６６に設けられ、テンション材固定ボルト６４を貫通させる貫通孔と、テンション材固定ボルト６４に螺合し、締め込むことによって第４の溝６０に挿入された正面側テンション材６６を第４の溝の底部に向けて移動させる蝶ナット１００と、枠本体１４の内側に配置され、幕状体１２に向けて光を照射する照明装置１８とを有する。【選択図】図２
0003201154.tif 000002
【実用新案登録請求の範囲】
【請求項１】
矩形状の枠本体と、
前記枠本体の正面に形成され、縦方向及び横方向へ延びる溝と、
前記溝に挿入され、前記溝との間に幕状体の端縁部分を挟む係止部材と、
前記溝の底部に立設され、前記幕状体の端縁部分に形成された係止孔に貫通するボルトと、
前記係止部材に設けられ、前記ボルトを貫通させる貫通孔と、
前記ボルトに螺合し、締め込むことによって前記溝に挿入された前記係止部材を前記溝の底部に向けて移動させる雌螺子部材と、
前記枠本体の内側に配置され、前記幕状体に向けて光を照射する面状の照明装置と、
を有する幕状体保持装置。
【請求項２】
前記照明装置は、平板に第１の方向、及び第１の方向と直交する方向に並べた複数のＬＥＤを備えている、請求項１に記載の幕状体保持装置。
【請求項３】
前記枠本体に設けられ、前記溝、前記係止部材、前記ボルト、及び前記雌螺子部材を覆う化粧カバーを有する、請求項１または請求項２に記載の幕状体保持装置。
【請求項４】
前記化粧カバーは、前記枠本体に回動可能に取り付けられている、請求項３に記載の幕状体保持装置。
【請求項５】
前記化粧カバーの自由端部には、閉じられたときに前記幕状体に当接する防滴部材が設けられている、請求項４に記載の幕状体保持装置。
【請求項６】
前記枠本体の裏面には、前記照明装置を覆う遮光シートが設けられている、請求項１〜請求項５の何れか１項に記載の幕状体保持装置。
【考案の詳細な説明】
【技術分野】
【０００１】
本考案は、幕状体を保持する幕状体保持装置に関する。
【背景技術】
【０００２】
夜間に広告を照らす照明装置が用いられた屋外の広告看板が知られている（例えば、特許文献１、２参照）。照明装置は、広告の掲載面から離間する方向に突出しているため、広告看板の専有面積が大きくなるという問題がある。
また、大型の広告看板の場合、広告の印刷された幕状体を看板の掲載面に貼り付ける作業が煩雑となる。
【先行技術文献】
【特許文献】
【０００３】
【特許文献１】特開２００５−７０３７９号公報
【特許文献２】特開２００５−２４７０６号公報
【考案の概要】
【考案が解決しようとする課題】
【０００４】
本考案は上記問題を考慮し、厚みが薄く、幕状体を少ない工程で掲示できる幕状体保持装置を提供することを目的とする。
【課題を解決するための手段】
【０００５】
請求項１に係る幕状体保持装置は、複数の長尺状の部材で矩形状に形成された枠本体と、前記長尺状の部材に形成され前記長尺状の部材の長手方向に沿って延びる溝と、前記溝に挿入され、前記溝との間に幕状体の端縁部分を介在させる長尺状の係止部材と、前記溝の底部に立設され、前記幕状体に形成された係止孔に貫通する複数のボルトと、前記係止部材に設けられ、前記ボルトを貫通させる複数の貫通孔と、前記ボルトに螺合し、締め込むことによって前記溝に挿入された前記係止部材を前記溝の底部に向けて移動させる複数の雌螺子部材と、前記枠本体の内側に配置され、前記幕状体に向けて光を照射する面状の照明装置と、を有する。
【０００６】
請求項１に記載の幕状体保持装置では、幕状体の係止孔にボルトを貫通させ、幕状体の端縁部分を枠本体の正面に形成された溝に対向させて配置し、幕状体の上から係止部材の貫通孔をボルトへ貫通させて係止部材を溝の中に押し込み、ボルトに雌螺子部材を螺合して締め込むことで、係止部材を溝の底部側に移動させる。これによって、幕状体の端縁部分を溝と係止部材との間で挟持して、幕状体の端縁部分を保持することができる。
【０００７】
幕状体の何れかの端縁部分をこのようにして保持した後、反対側の端縁部分を同様にして保持すると、係止部材を溝の底部に向けて移動する際に幕状部材が引っ張られるので、幕状体を弛み無く張った状態にすることができる。また、係止部材を溝に差し込むだけで良いので、作業工程を削減できる。
【０００８】
さらに、この幕状体保持装置では、枠本体の内側に配置された照明装置で幕状体に向けて光を照射することができるため、光を透過する幕状体を用いた場合、幕状体を光らせることができ、暗所での視認性を向上することができる。
また、照明装置は、面状とされ、枠本体内に配置されているため、幕状体保持装置の専有面積を小さくできる。
【０００９】
請求項２に記載の考案は、請求項１に記載の幕状体保持装置において、平板に第１の方向、及び第１の方向と直交する方向に並べた複数のＬＥＤを備えている。
【００１０】
請求項２に記載の幕状体保持装置において、照明装置は、平板に第１の方向、及び第１の方向と直交する方向に並べた複数のＬＥＤを備えた構成とされているので、照明装置を薄くすることができる。
【００１１】
請求項３に記載の考案は、前記枠本体に設けられ、前記溝、前記係止部材、前記ボルト、及び前記雌螺子部材を覆う化粧カバーを有する、請求項１または請求項２に記載の幕状体保持装置。
【００１２】
請求項３に記載の幕状体保持装置では、化粧カバーで溝、係止部材、ボルト、及び雌螺子部材を覆うことができるので、これにより幕状体保持装置の見栄えを向上することができる。
【００１３】
請求項４記載の考案は、請求項３に記載の幕状体保持装置において、前記化粧カバーは、前記枠本体に回動可能に取り付けられている。
【００１４】
請求項４に記載の幕状体保持装置では、化粧カバーが枠本体に回動可能に取り付けられているので、化粧カバーを容易に開閉できる。
【００１５】
請求項５に記載の考案は、請求項４に記載の幕状体保持装置において、前記化粧カバーの自由端部には、閉じられたときに前記幕状体に当接する防滴部材が設けられている。
【００１６】
請求項５に記載の幕状体保持装置では、化粧カバーを閉じると、防滴部材が幕状体に当接し、化粧カバーと幕状体との間の隙間が防滴部材で塞がれ、該隙間から水や埃等が浸入することが抑制される。
【００１７】
請求項６に記載の考案は、請求項１〜請求項５の何れか１項に記載の幕状体保持装置において、前記枠本体の裏面には、前記照明装置を覆う遮光シートが設けられている。
【００１８】
請求項６に記載の幕状体保持装置では、照明装置からの光が遮光シートで遮光され、枠本体の裏側から光が漏れることが抑制される。
【考案の効果】
【００１９】
本考案の幕状体保持装置によれば、厚みが薄く、幕状体を少ない工程で掲示できる、という優れた効果を有する。
【図面の簡単な説明】
【００２０】
【図１】本実施形態に係る幕状体保持装置の化粧カバーが開かれた状態を示す断面図である。
【図２】本実施形態に係る幕状体保持装置の化粧カバーを閉じた状態を示す断面図である。
【図３】本実施形態に係る幕状体保持装置を示す正面図である。
【図４】本実施形態に係る幕状体保持装置を示す裏面図である。
【図５】ストッパ棒を示す正面図である。
【図６】枠状体の角部付近を示す正面図である。
【図７】第２のコーナー金具を示す正面図である。
【図８】幕状体保持装置を裏面側から見た斜視図である。
【図９】幕状体に作用する張力を示す幕状体の平面図である。
【考案を実施するための形態】
【００２１】
以下、本考案を実施するための形態を図面に基づき説明する。図１〜３に示すように、本実施形態の幕状体保持装置１０は、矩形の幕状体１２（図３）を掲示するためのものであり、枠本体１４、化粧カバー１６、照明装置１８、及び裏面部材２０等を含んで構成されている。
図２、及び図３に示すように、本実施形態の幕状体保持装置１０の寸法は、一例として、高さＨが２０００ｍｍ、横幅Ｗが２０００〜４０００ｍｍ、厚さＴが１００ｍｍであるが、これらの寸法に限定されるものでは無い。
【００２２】
幕状体１２は、例えばＦＦシート（フレキシブルフェイスシート）を用いて構成される矩形のシートであり、表示面には広告等（図示せず）が印刷される。なお、用途は後述するが、幕状体１２の各辺の端縁部分には、幕状体１２を枠本体１４に取り付ける際に用いる複数の貫通孔（図示せず）が形成されている。
【００２３】
図４に示すように、枠本体１４は、水平方向に延びる上側水平部材２２、同じく水平方向に延び、上側水平部材２２の下側に配置される下側水平部材２４、上側水平部材２２の両端部と下側水平部材２４の両端部とを連結する一対の柱部材２６により、矩形の枠状に形成されている。これら上側水平部材２２、下側水平部材２４、及び柱部材２６は、全て同じ押出部材で形成されている。押出部材の材料は、例えばアルミニウム合金等の金属材料である。
【００２４】
以下に、代表して上側水平部材２２の構成を説明する。
図１に示すように、上側水平部材２２の上部（矢印Ｕ方向側の部分）には、表面側（矢印Ｆ方向側）に第１の溝３０が形成されている。第１の溝３０の底部には、化粧カバー１６を固定するビス３２を捩じ込むナット３４が取り付けられている。
【００２５】
上側水平部材２２には、第１の溝３０の裏面側（矢印Ｂ方向側）に、第２の溝３６が形成されている。第２の溝３６の裏面側の側壁３６Ａには、第１のボルト溝３８が形成されている。第１のボルト溝３８は、幅狭溝部３８Ａと、幅狭溝部３８Ａの底部側に形成されて幅狭溝部３８Ａよりも幅広とされた幅広溝部３８Ｂとを備えている。幅狭溝部３８Ａは、第１のボルト４０のネジ部４０Ａが挿入され、幅広溝部３８Ｂは、該第１のボルト４０の頭部４０Ｂが挿入される。第１のボルト４０は、第１のボルト溝３８の端部から挿入され、第１のボルト溝３８に沿ってスライド自在とされている。
【００２６】
第１のボルト４０のネジ部４０Ａは、第２の溝３６に向けて水平に突出している。第１のボルト４０のネジ部４０Ａには、ナット４２、ナット４４、及びスプリングワッシャ４６が取り付けられており、ナット４４を締め込むことで、第１のボルト４０が上側水平部材２２に固定される。
【００２７】
ナット４２とナット４４との間には、ストッパ棒４７が配置されている。ストッパ棒４７の一端は平坦に潰されて孔（図示せず）が形成されており、この孔に第１のボルト４０のネジ部４０Ａが貫通している。これより、図５の矢印で示すように、ストッパ棒４７は、ネジ部４０Ａを中心として回動可能となっている。
【００２８】
図１、及び図２に示すように、上側水平部材２２には、上側、且つ裏面側の角部に、化粧カバー１６を回動可能に支持するための軸受け溝４８が形成されている。軸受け溝４８は、底部側が断面円形に形成されており、化粧カバー１６の軸５０が回動可能に挿入される。なお、図１では、化粧カバー１６が開状態であり、図２では、化粧カバー１６が閉状態である。
【００２９】
図１に示すように、上側水平部材２２の正面（矢印Ｆ方向側の面）には、上側に第３の溝５２が形成されている。第３の溝５２の底部には、第２のボルト溝５４が形成されている。第２のボルト溝５４は、幅狭溝部５４Ａと、幅狭溝部５４Ａの底部側に形成され、幅狭溝部５４Ａよりも幅広とされた幅広溝部５４Ｂを備えている。幅狭溝部５４Ａには、第１の枠固定ボルト５６のネジ部５６Ａが挿入され、幅広溝部５４Ｂには、該第１の枠固定ボルト５６の頭部５６Ｂが挿入される。第１の枠固定ボルト５６は、第２のボルト溝５４の端部から挿入され、第２のボルト溝５４に沿ってスライド自在とされている。
【００３０】
また、この第３の溝５２には、上側水平部材２２と柱部材２６とを接続するために用いる図６に示すＬ字形状のコーナー金具５８が配置される。上側水平部材２２と柱部材２６との接続方法に関しては後述する。
【００３１】
図１に示すように、上側水平部材２２の正面には、第３の溝５２の下側に、第４の溝６０が形成されている。第４の溝６０の底部には、第３のボルト溝６２が形成されている。第３のボルト溝６２は、幅狭溝部６２Ａと、幅狭溝部６２Ａの底部側に配置され、幅狭溝部６２Ａよりも幅広に形成された幅広溝部６２Ｂとを備えている。幅狭溝部６２Ａには、テンション材固定ボルト６４のネジ部６４Ａが挿入され、幅広溝部６２Ｂには、該テンション材固定ボルト６４の頭部６４Ｂが挿入される。テンション材固定ボルト６４は、第３のボルト溝６２の端部から挿入され、第３のボルト溝６２に沿ってスライド自在とされている。なお、第３のボルト溝６２には、テンション材固定ボルト６４が、間隔をあけて２〜３個程度配置される。なお、この第４の溝６０には、後述する正面側テンション材６６、及び幕状体１２の端縁部分が配置される。
【００３２】
また、上側水平部材２２の正面には、第４の溝６０の下側に、第４のボルト溝６８が形成されている。第４のボルト溝６８は、幅狭溝部６８Ａと、幅狭溝部６８Ａの底部側に配置され、幅狭溝部６８Ａよりも幅広に形成された幅広溝部６８Ｂとを備えている。幅狭溝部６８Ａは、第２の枠固定ボルト７０のネジ部７０Ａが挿入され、幅広溝部６８Ｂは、該第２の枠固定ボルト７０の頭部７０Ｂが挿入される。第２の枠固定ボルト７０は、第４のボルト溝６８の端部から挿入され、第４のボルト溝６８に沿ってスライド自在とされている。
【００３３】
上側水平部材２２の下部には、裏面側（矢印Ｂ方向側）に、第５の溝７２が形成されている。なお、この第５の溝７２には、図１、及び図２に示すように、後述する裏面側テンション材７４、裏面部材２０の端縁部分、及び補強パイプ７６の端部が配置される。
【００３４】
上側水平部材２２の内部には、断面略矩形状とされた中空部７８が形成されている。中空部７８の内部には、裏面側の壁面７８Ａに、図７に示すように、Ｌ字形状の第２のコーナー金具８０が取り付けられる。
【００３５】
以上、上側水平部材２２について説明したが、下側水平部材２４、及び柱部材２６も同じ押出部材を用いて形成されているので、下側水平部材２４、及び柱部材２６も上側水平部材２２と同様の構成となっている。
【００３６】
（枠本体の組み立て）
次に、上側水平部材、下側水平部材２４、及び２本の柱部材２６を接続して枠本体１４を組み立てる手順を説明する。
【００３７】
図４に示すように、枠本体１４は、長手方向両端部が長手方向に対して４５度でカットされた上側水平部材２２と、同じく長手方向両端部が長手方向に対して４５度でカットされた下側水平部材２４とが平行に配置され、上側水平部材２２の両端部と下側水平部材２４の両端部とが長手方向両端部が長手方向に対して４５度でカットされた柱部材２６を接続する事で構成されている。これら上側水平部材２２、下側水平部材２４、及び柱部材２６は、コーナー金具５８、第２のコーナー金具８０を用いて互いに接続される。
【００３８】
以下に、コーナー金具５８と第２のコーナー金具８０とを用いて上側水平部材２２と柱部材２６とを接続して固定する方法を説明する。
【００３９】
図１、及び図７に示すように、上側水平部材２２の中空部７８の壁面７８Ａ、及び柱部材２６の中空部７８の壁面７８Ａに第２のコーナー金具８０を配置し、第２のコーナー金具８０をリベット９０で上側水平部材２２の中空部７８の壁面７８Ａ、及び柱部材２６の中空部７８の壁面７８Ａに固定する。
【００４０】
更に、図６に示すように、上側水平部材２２の第３の溝５２と柱部材２６の第３の溝５２にＬ字状のコーナー金具５８を配置し、コーナー金具５８の孔（図示せず）に上側水平部材２２の第１の枠固定ボルト５６のネジ部５６Ａ、及び柱部材２６の第１の枠固定ボルト５６のネジ部５６Ａを挿入し、各々のネジ部５６Ａにスプリングワッシャ８２、及びナット８４を取り付けて各々のナット８４を締め込むことで、コーナー金具５８を上側水平部材２２と柱部材２６とに固定する。
【００４１】
また、上側水平部材２２の第２の枠固定ボルト７０のネジ部７０Ａ、及び柱部材２６の第２の枠固定ボルト７０のネジ部７０Ａをコーナー金具５８の孔（図示せず）に挿入し、ネジ部７０Ａにスプリングワッシャ８６、及びナット８８を取り付けてナット８８を締め込むことで、コーナー金具５８を上側水平部材２２と柱部材２６とに固定する。
【００４２】
このようにして、コーナー金具５８と第２のコーナー金具８０とを用いて、上側水平部材２２と柱部材２６とを接続して固定することができる。なお、下側水平部材２４と柱部材２６との接続も、同様にしてコーナー金具５８と第２のコーナー金具８０とを用いて接続される。
【００４３】
本実施形態では、図１、及び図３に示すように、上側水平部材２２の長手方向中央部と下側水平部材２４の長手方向中央部とが補強パイプ７６で連結されている。本実施形態の補強パイプ７６は、スチール、及びアルミニウム合金等の金属からなる角パイプであり、図１に示すように、上端部が上側水平部材２２の第５の溝７２に挿入されてリベット９２で上側水平部材２２に固定され、図示を省略するが、下端部が下側水平部材２４の第５の溝７２に挿入されてリベット９２で下側水平部材２４に固定される。本実施形態では、上側水平部材２２の撓みを抑えるために、補強パイプ７６を１本用いたが、必要に応じて２本以上用いても良く、補強の必要が無い場合には補強パイプ７６を用いなくても良い。
【００４４】
図２、及び図４に示すように、幕状体保持装置１０は、枠本体１４の裏面側に矩形のシート部材からなる裏面部材２０が配置されている。
裏面部材２０に用いるシート部材には、一例として、遮光性を有するターポリン（繊維織物を樹脂でコーティングしたシート）、あるいはアルミ複合シート（アルミと樹脂とを複合したシート）を用いることができるが、他の材料からなるシート部材を用いることもできる。
【００４５】
この裏面部材２０は、端縁部分が上側水平部材２２、下側水平部材２４、及び柱部材２６の第５の溝７２の中に入り込んでいる。図２に示すように、第５の溝７２には、長尺状の裏面側テンション材７４が裏面部材２０の上から押し込まれており、裏面側テンション材７４はタッピンねじ９４で押出部材に固定されている。これにより、裏面部材２０は、端縁部分が裏面側テンション材７４と第５の溝７２の底部との間に挟持され、固定される。本実施形態の裏面側テンション材７４は、金属の押出部材からなるチャンネルであり、幕状体１２と接する両側面には長手方向に沿って延びる断面三角形の微小なリブが複数形成されている。また、この裏面側テンション材７４は、両側面が裏面部材２０に接触している。
【００４６】
図２、及び図３に示すように、裏面部材２０の内面には、照明装置１８として、矩形状に形成された平板状の基板９６が上下方向、及び水平方向にマトリクス状に取り付けられている。基板９６には、複数のＬＥＤ９８が上下方向、及び水平方向にマトリクス状に配置されている。なお、これら複数の基板９６は、図示しない配線で相互に接続されており、図示しない配線で電源に接続されている。本実施形態のＬＥＤ９８は白色光を発するものであるが、他の色を発するものを用いることもできる。ＬＥＤ９８は、照射角度の広いものや、面発光するものが好ましい。
【００４７】
枠本体１４の正面側には、矩形の幕状体１２が配置されている。幕状体１２は、端縁部分が第４の溝６０の中に入り込んでおり、幕状体１２の上から、裏面側テンション材７４と同様の押出部材から形成された長尺状の正面側テンション材６６が第４の溝６０に押し込まれている。正面側テンション材６６にはテンション材固定ボルト６４を貫通する貫通孔９９が形成され、幕状体１２にもテンション材固定ボルト６４を貫通する貫通孔（図示せず）が形成されており、幕状体１２、及び正面側テンション材６６を貫通したテンション材固定ボルト６４のネジ部６４Ａに蝶ナット１００が螺合している。
【００４８】
この蝶ナット１００を締め込むことで、幕状体１２の端縁部分が正面側テンション材６６で第４の溝６０の底部に押し付けられ、幕状体１２の端縁部分が、正面側テンション材６６と第４の溝６０の底部との間に挟持され固定される。また、この固定状態において、正面側テンション材６６は、両側面が裏面部材２０に接触している。
【００４９】
（化粧カバー）
図１、及び図２に示すように、化粧カバー１６は、枠本体１４の外周側の側部を覆う側壁部１０２と、側壁部１０２に対して略直角に配置され枠本体１４の正面側を覆う正面壁部１０４とを含んで構成されており、断面略Ｌ字状を呈している。化粧カバー１６は、例えばアルミニウム合金等の金属材料からなる押出部材で形成されている。
【００５０】
化粧カバー１６の側壁部１０２の端部には、上側水平部材２２の軸受け溝４８に挿入される軸５０が形成されている。化粧カバー１６は、軸受け溝４８を中心として、図１に示す開状態と、図２に示す閉状態との間を回動させることができる。なお、化粧カバー１６の軸５０は、軸受け溝４８の端部から挿入される。
【００５１】
化粧カバー１６の側壁部１０２には、溝１０６が形成されており、溝１０６の底部には、上側水平部材２２のナット３４と対向する位置に、孔１０８が形成されており、この孔１０８にビス３２のネジ部３２Ａが貫通している。このビス３２のネジ部３２Ａには、長手方向中間部に脱落防止リング１１０が取り付けられており、これによりビス３２が孔１０８から脱落することが防止されている。図２に示すように、化粧カバー１６を閉状態とし、ビス３２を上側水平部材２２のナット３４に捩じ込むことで、化粧カバー１６を閉状態で固定することができる。
【００５２】
化粧カバー１６の正面壁部１０４の端部には、防滴ゴム１１２が取り付けられている。この防滴ゴム１１２は、中空で略半円形状に形成されており、化粧カバー１６を閉状態とした際に幕状体１２の表面に弾性的に接触し、化粧カバー１６と幕状体１２との間の隙間を塞ぐ。
【００５３】
（作用）
本実施形態の幕状体保持装置１０は、上記のように構成されており、以下に、幕状体保持装置１０に幕状体１２を保持して掲示する手順を説明する。
【００５４】
（１）  先ず、図１に示されるように、全ての化粧カバー１６を開く。なお、自重で閉じない様に、例えば、上側水平部材２２においては、図１、及び図５に示すようにストッパ棒４７を立てて、化粧カバー１６の内側の段部１２０にストッパ棒４７を突き当てることで、化粧カバー１６を開いた状態で保持することができる。
【００５５】
（２）  幕状体１２の端縁部分に形成された貫通孔（図示せず）に、テンション材固定ボルト６４のネジ部６４Ａが挿入されるように幕状体１２を幕状体保持装置１０の正面側に配置する。
【００５６】
（３）  上側水平部材２２において、正面側テンション材６６の貫通孔９９にテンション材固定ボルト６４のネジ部６４Ａが貫通するように幕状体１２の上から正面側テンション材６６を第４の溝６０の溝に押し込む。
【００５７】
（４）  ネジ部６４Ａに蝶ナット１００を螺合して蝶ナット１００を捩じ込み、正面側テンション材６６を第４の溝６０の底部へ向けて移動し、正面側テンション材６６と第４の溝６０の底部との間に幕状体１２の端縁部分を挟持する（図１参照）。このようにして正面側テンション材６６を第４の溝６０の底部へ向けて移動させることで、幕状体１２の上端側の一部分が第４の溝６０の内部へ引き込まれる。
【００５８】
（５）  上側水平部材２２と反対側の下側水平部材２４において、正面側テンション材６６の貫通孔９９にテンション材固定ボルト６４のネジ部６４Ａが貫通するように幕状体１２の上から正面側テンション材６６を第４の溝６０の溝に押し込む。そして、ネジ部６４Ａに蝶ナット１００を螺合して蝶ナット１００を捩じ込み、正面側テンション材６６を第４の溝６０の底部へ向けて移動し、正面側テンション材６６と第４の溝６０の底部との間に幕状体１２の端縁部分を挟持する。
【００５９】
このように、下側水平部材２４において、正面側テンション材６６を第４の溝６０の底部へ向けて移動させることで、幕状体１２の下端側の一部分が第４の溝６０の内部へ引き込まれる。
以上により、幕状体１２には、上側水平部材２２と下側水平部材２４との間で上下方向に張力Ｆ（図９参照）が作用し、幕状体１２の上下方向の弛みが除去され、幕状体１２を上下方向に張った状態とすることができる。
【００６０】
（６）  次に、何れか一方（例えば、正面から見て左側）の柱部材２６において、正面側テンション材６６の貫通孔９９にテンション材固定ボルト６４のネジ部６４Ａが貫通するように幕状体１２の上から正面側テンション材６６を第４の溝６０の溝に押し込む。そして、ネジ部６４Ａに蝶ナット１００を螺合して蝶ナット１００を捩じ込み、正面側テンション材６６を第４の溝６０の底部へ向けて移動し、正面側テンション材６６と第４の溝６０の底部との間に幕状体１２の端縁部分を挟持する。
【００６１】
このようにして正面側テンション材６６を第４の溝６０の底部へ向けて移動させることで、幕状体１２の一方の柱部材２６側の端縁部分は、一部分が第４の溝６０の内部へ引き込まれる。
【００６２】
（７）  次に、他方（たとえば、正面から見て右側）の柱部材２６において、正面側テンション材６６の貫通孔９９にテンション材固定ボルト６４のネジ部６４Ａが貫通するように幕状体１２の上から正面側テンション材６６を第４の溝６０の溝に押し込む。そして、ネジ部６４Ａに蝶ナット１００を螺合して蝶ナット１００を捩じ込み、正面側テンション材６６を第４の溝６０の底部へ向けて移動し、正面側テンション材６６と第４の溝６０の底部との間に幕状体１２の端縁部分を挟持する。
【００６３】
このようにして正面側テンション材６６を第４の溝６０の底部へ向けて移動させることで、幕状体１２の他方の柱部材２６側の端縁部分は、一部分が第４の溝６０の内部へ引き込まれる。
以上により、幕状体１２には、一方の柱部材２６と他方の柱部材２６との間で横方向に張力Ｆ（図９参照）が作用し、幕状体１２の横方向の弛みが除去され、幕状体１２を横方向にも張った状態とすることができる。
【００６４】
（８）  最後に、図２に示すように、各化粧カバー１６を閉じ、ビス３２をナット３４に捩じ込むことで化粧カバー１６を固定する。
【００６５】
このように、本実施形態では、幕状体１２の端縁部分に形成された貫通孔（図示せず）に、テンション材固定ボルト６４のネジ部６４Ａを貫通し、ネジ部６４Ａに螺合した蝶ナット１００を締め込んで正面側テンション材６６を第４の溝６０に装着するという簡単な作業で幕状体１２を弛みなく保持して掲示することができる。
【００６６】
本実施形態の幕状体保持装置１０では、化粧カバー１６を閉じることで、上側水平部材２２、下側水平部材２４、及び柱部材２６の押出部材の正面側、及び枠外周側が化粧カバー１６で覆われ、見栄えを向上することができる。
【００６７】
化粧カバー１６を閉状態とすると、防滴ゴム１１２が幕状体１２の表面に弾性的に接触し、化粧カバー１６と幕状体１２との間の隙間を塞ぐので、水や埃等が化粧カバー１６と幕状体１２との間から幕状体保持装置１０の内部に侵入することを抑制できる。
【００６８】
本実施形態の幕状体保持装置１０は、夜間や、暗所においては、照明装置１８のＬＥＤ９８を点灯し、幕状体１２の裏面に光を照射することにより、幕状体１２に印刷された広告等の視認性を向上させることができる。
【００６９】
本実施形態の幕状体保持装置１０は、例えば、図８に示すように、台座１１４に立設された支柱１１６に取り付けたり、図示は省略するが、地面に設けた基礎に立設される支柱、建物の壁面、塀の壁面、車両等に取り付けることもできる。なお、図８に示すように、幕状体保持装置１０を台座１１４の支柱１１６に取り付けるには、図２に示すように、ネジ１１８等を用いて押出部材を支柱１１６に固定すれば良い。また、幕状体保持装置１０を建物の壁面、塀の壁等に取り付ける場合には、押出部材をアンカーボルト等を用いて取り付れば良い。
【００７０】
幕状体保持装置１０は、本実施形態のように厚さＴを、例えば、１００ｍｍ程度とすることで、幕状体保持装置１０を全体的に薄く見せることができ、幅の狭いスペースに収まるように設置することができる。
【００７１】
本実施形態の照明装置１８は、複数のＬＥＤ９８を配置した平板状の基板９６を用いているため、照明装置１８を薄く構成することができ、これにより、幕状体保持装置１０を薄型化することができる。
【００７２】
また、幕状体保持装置１０は、内部に照明装置１８が配置されており、幕状体保持装置１０の外側に、正面側や裏面側に突出する照明装置等の突起物が無く、全体的に平板状とされているので、幕状体保持装置１０を境界線の際に設置しても幕状体保持装置１０が敷地の境界線からはみ出すことは無い。
【００７３】
［他の実施形態］
以上、本考案の実施形態について説明したが、本考案は、上記に限定されるものでなく、その主旨を逸脱しない範囲内において上記以外にも種々変形して実施することが可能であることは勿論である。
【００７４】
図８に示す例では、幕状体保持装置１０を支柱１１６の片側に取り付けているが、幕状体保持装置１０を支柱１１６の両側に取り付けても良い。
上記実施形態の幕状体保持装置１０では、化粧カバー１６に防滴ゴム１１２を設けたが、必要が無ければ防滴ゴム１１２を取り除いても良い。
上記実施形態の幕状体保持装置１０では、化粧カバー１６を設けたが、必要が無ければ化粧カバー１６を取り除いても良い。
【００７５】
上記実施形態の幕状体保持装置１０では、基板９６を裏面部材２０に取り付けたが、上側水平部材２２、下側水平部材２４、及び柱部材２６に取り付けても良い。
上記実施形態の幕状体保持装置１０では、照明装置１８にＬＥＤ９８を用いたが、面発光するＥＬ（エレクトロルミネッセンス）等の他の種類の照明装置を用いても良い。照明装置１８にＥＬを用いることで、幕状体１２に照明装置１８を近づけることができ、幕状体保持装置１０を更に薄くすることも可能となる。
【００７６】
上記実施形態では、第２のコーナー金具８０をリベット９０で固定したが、ボルトで固定しても良い。
上記実施形態では、補強パイプ７６をリベット９２で固定したが、ボルトで固定しても良い。
【符号の説明】
【００７７】
１０    幕状体保持装置。
１２    幕状体
１４    枠本体
１６    化粧カバー
１８    照明装置と、
２２    上側水平部材（長尺状の部材）
２４    下側水平部材（長尺状の部材）
２６    柱部材（長尺状の部材）
６０    第４の溝（溝）
６４    テンション材固定ボルト（ボルト）
６６    正面側テンション材（係止部材）
９６    基板（平板）
９８    ＬＥＤ
９９    貫通孔
１００  蝶ナット（雌螺子部材）
【図１】
0003201154.tif 000003
【図２】
0003201154.tif 000004
【図３】
0003201154.tif 000005
【図４】
0003201154.tif 000006
【図５】
0003201154.tif 000007
【図６】
0003201154.tif 000008
【図７】
0003201154.tif 000009
【図８】
0003201154.tif 000010
【図９】
0003201154.tif 000011